【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】
制御チャネルとトラフィックチャネルとして割り当てられる複数の無線チャネルと、
トラフィックチャネル割り当て手段と、
セルパラメータ情報を格納するパラメータ格納手段（３１；３２；３３）と、
信号強度情報保持手段と、を含み、セルラ通信ネットワークの複数の移動局にサービスを提供する複数のセル（Ｃ１，Ｃ２；Ｃ３；Ｃ４；Ｃ５，Ｃ６，Ｃ７）において無線通信を扱う無線ネットワーク操作装置（１１；１２；１３）であって、
該装置は、さらに、少なくとも複数のセルのトラフィック負荷に関する情報を保持するための負荷監視手段（２１；２２；２３）を含み、
前記トラフィックチャネル割り当て手段は、複数のセルの、セルパラメータについてと信号強度計測値についての情報を用いて、アクセスセルにアクセスする移動局のセル候補として利用可能な近接セルがあるかを判定する手段を含み、
前記アクセスセルと前記利用可能なセルのトラフィック負荷情報を用いて、該利用可能なセルのトラフィック負荷に応じて、アクセスセルにアクセスする移動局にトラフィックチャネルを割り当てることが可能となっていることを特徴とする装置。
【請求項２】
信号強度値とセル割り当てパラメータとを用いて、アクセスセルにアクセスする移動局に対して利用可能な近接セルがあるかを判定し、該近接セルがどれかを判定することを特徴とする請求項１に記載の装置。
【請求項３】
前記セル割り当てパラメータは、ハンドオーバーパラメータであることを特徴とする請求項２に記載の装置。
【請求項４】
前記移動局が、前記アクセスセルと少なくとも一つの近接セルとの間のハンドオーバー領域にあるかを判定し、もしそうならば、前記近接セルが利用可能なセル候補を構成するように、
ハンドオーバーパラメータは、前記アクセスセルに提供される初期アクセスメッセージ中で、前記移動局から受信される前記信号強度値に対して、加算（ＨＹＳＴ）および減算（ＯＦＦＳＥＴ）の少なくとも一方がなされることを特徴とする請求項３に記載の装置。
【請求項５】
もし、移動局が、複数の利用可能な近接セルのハンドオーバー領域にある場合には、前記負荷情報保持手段（２１；２２；２３）に格納されたトラフィック負荷情報を用いて、どのセル（前記アクセスセル、あるいは前記利用可能な近接セルのいずれか）が、最低のトラフィック負荷を持つかを判定し、
前記判定されたセルのトラフィックチャネルを、前記移動局に割り当てることを特徴とする請求項４に記載の装置。
【請求項６】
しきい値が、少なくとも複数のセルの負荷に対して与えられ、もし前記アクセスセルでの前記トラフィック負荷が前記しきい値を上回る場合には、該セルの前記しきい値を下回るトラフィック負荷をもつ利用可能な近接セルのトラフィックチャネルを前記移動局に割り当てることを特徴とする請求項１乃至５の何れか１項に記載の装置。
【請求項７】
前記装置（１１；１２）は、例えば、ＰＤＣ、ＡＤＣの通信ネットワークの移動交換局（ＭＳＣ；４１；４２；４３）に配置されることを特徴とする請求項１乃至６の何れか１項に記載の装置。
【請求項８】
前記パラメータ格納手段（３３）および前記負荷監視手段（２３）の少なくとも一方は、前記ＭＳＣ（４３）の外部に、しかしそれと通信し合う形で配置されることを特徴とする請求項７に記載の装置。
【請求項９】
前記装置は、例えば、ＧＳＭシステムの基地局制御装置（ＢＳＣ）に含まれることを特徴とする請求項１乃至６の何れか１項に記載の装置。
【請求項１０】
前記パラメータ格納手段および前記負荷監視手段の少なくとも一方は、前記ＢＳＣの外部に、しかしそれと通信し合う形で配置されるか、前記ＢＳＣの内部に配置されることを特徴とする請求項９に記載の装置。
【請求項１１】
前記セルラ通信システムの前記セルは、階層的セル構造で配置されることを特徴とする請求項１乃至１０の何れか１項に記載の装置。
【請求項１２】
最下層の階層レイアで呼を確立するために、近接セルへの負荷ベースの割り当てが行われ、もし、移動局が、より下位およびより上位階層のセルのサービス対象範囲にある場合には、より下位およびより上位階層のセルに対し、トラフィック負荷情報を考慮することを特徴とする請求項１１に記載の装置。
【請求項１３】
同一のＭＳＣあるいはＢＳＣのサービス対象範囲内にあるセルに対してのみ、負荷依存の割り当てが用いられることを特徴とする請求項１乃至１２の何れか１項に記載の装置。
【請求項１４】
セルが、同一あるいは異なるＭＳＣ／ＢＳＣに属しているかに関わらず、負荷依存の割り当てがセルに実装されることを特徴とする請求項１乃至１２の何れか１項に記載の装置。
【請求項１５】
異なるＭＳＣに属するセル間の割り当てのために、該ＭＳＣのプロセッサ負荷も用いて、セル候補として、セルが利用可能か否かを決定することを特徴とする請求項１４に記載の装置。
【請求項１６】
セルのトラフィック負荷は、使用中のトラフィックチャネルの数を、該セルにおける使用中のトラフィックチャネルと待機状態のトラフィックチャネルの総和で割った値として定義され、
前記トラフィック負荷は、前記セルの各割り当て処理ごとに評価されるか、もしくは、該トラフィック負荷は、推定にもとづくことを特徴とする請求項１乃至１５の何れか１項に記載の装置。
【請求項１７】
少なくとも複数のセルの前記トラフィック負荷は、継続して計測されることを特徴とする請求項１６に記載の装置。
【請求項１８】
各々が、
複数のセルにおいて無線通信を扱い、
制御チャネルとトラフィックチャネルとして割り当てられる無線チャネルと、
トラフィックチャネル割り当て手段と、
セルパラメータ情報を格納するパラメータ格納手段（３１；３２；３３）と、を含む、複数の無線ネットワーク操作装置（１１；１２；１３）を含むセルラ通信システムであって、
少なくとも複数の該装置は、さらに、
各装置によりサービスされる少なくとも複数のセルのトラフィック負荷についての情報を収集するための負荷監視手段（２１；２２；２３）と、
セルパラメータ情報と信号強度情報とを用いて、アクセスセルにアクセスする移動局のためのセル候補として利用可能な近接セルがあるかを判定する手段とを含むトラフィック割り当て手段と、を含み、
もし、セル候補として複数の近接セルが利用可能であると判断された場合には、トラフィック負荷情報を用いて、該利用可能なセルのトラフィック負荷に応じて、アクセスセルにアクセスする移動局にトラフィックチャネルを割り当てることが可能となっていることを特徴とするシステム。
【請求項１９】
前記パラメータ格納手段（３１；３２；３３）は、少なくとも、セルパラメータをハンドオーバーパラメータの形式で格納し、
情報保持手段が、複数のセルの信号強度についての情報を保持／収集するために提供され、
信号強度値とハンドオーバーパラメータとを用いて、アクセスセルにアクセスする移動局のために利用可能な近接セルがあるかを判定し、該近接セルがどれであるかを判定することを特徴とする請求項１８に記載のセルラ通信システム。
【請求項２０】
アクセスセルにアクセスする移動局は、初期アクセスメッセージを前記アクセスセルに提供し、
信号強度情報が、前記初期アクセスメッセージ中で提供され、
ハンドオーバーパラメータが、前記信号強度値に対して加減算され、前記アクセスセルと少なくとも一つの近接セルとの間のハンドオーバー領域に前記移動局があるかを判定することを特徴とする請求項１９に記載のセルラ通信システム。
【請求項２１】
もし、代替の複数の近接セルのハンドオーバー領域に移動局がある場合には、負荷情報保持手段（２１；２２；２３）に格納されたトラフィック負荷情報を用いて、前記アクセスセルと利用可能な近接セル候補のうちどのセルが最低のトラフィック負荷を持っているかを判定し、
適切なネットワーク操作装置の前記トラフィック割り当て手段が、前記セルのトラフィックチャネルを、前記移動局に割り当てることを特徴とする請求項２０に記載のセルラ通信システム。
【請求項２２】
複数のセルのトラフィック負荷に対して、しきい値が与えられ、
前記アクセスセルでのトラフィック負荷が、前記しきい値を上回る場合には、該セルの前記しきい値よりも低いトラフィック負荷をもつ利用可能な近接セルのトラフィックチャネルを、前記移動局に割り当てることを特徴とする請求項２０に記載のセルラ通信システム。
【請求項２３】
前記装置は、移動交換局（ＭＳＣ；４１；４２；４３）あるいは基地局制御装置（ＢＳＣ）を含み、
前記パラメータ格納手段および負荷監視手段の少なくとも一方は、独立しつつ、複数の無線ネットワーク操作装置と通信し合うように配置されるか、各無線ネットワーク操作装置の中に設けられることを特徴とする請求項１８乃至２２の何れか１項に記載のセルラ通信システム。
【請求項２４】
前記セルラ通信システムの前記セルは、階層的セル構造で配置されることを特徴とする請求項１８乃至２３の何れか１項に記載のセルラ通信システム。
【請求項２５】
複数の無線ネットワーク操作装置を含むセルラ通信システムにおいて、セルにアクセスする移動局にトラフィックチャネルを割り当てる方法であって、
初期アクセスメッセージを含む呼の確立メッセージをセルで受信し、アクセスセルを形成するステップと、
前記呼を確立するために利用可能な近接セルがあるかを、セルパラメータについての情報を利用して判定するステップと、
もしあるならば、前記利用可能なセルの負荷に基づき、少なくともトラフィック負荷情報を用いて、前記アクセスセルおよび前記利用可能な近接セルの一つのトラフィックチャネルを、前記移動局に割り当てるステップとからなることを特徴とする方法。
【請求項２６】
前記アクセスセルと全ての利用可能な近接セルのトラフィック負荷を調べるステップと、
前記近接セルのいずれかのトラフィック負荷が、前記アクセスセルよりも低いかを判定するステップと、
もしそうならば、該近接セルのトラフィックチャネルを前記移動局に割り当て、そうでない場合には、前記アクセスセルのトラフィックチャネルを割り当てるステップと、を含むことを特徴とする請求項２５に記載の方法。
【請求項２７】
少なくとも複数のセルのトラフィック負荷に対するしきい値を導出するステップと、
前記アクセスセルに対して前記しきい値が上回るかを判定するステップと、
もし上回れば、前記トラフィック負荷が、前記利用可能な近接セルのいずれかの各しきい値を下回るかを判定するステップと、
もし下回れば、当該近接セルのトラフィックチャネルを割り当てるステップと、をさらに含むことを特徴とする請求項２５または２６に記載の方法。
【請求項２８】
個々のしきい値は、複数のセルの各々に対して与えられることを特徴とする請求項２７に記載の方法。
【請求項２９】
前記しきい値は、すくなくとも複数のセルに対して、同一であることを特徴とする請求項２７に記載の方法。
【請求項３０】
信号強度計測値を、前記移動局から前記無線ネットワーク操作装置に送信するステップと、
前記信号強度計測値と前記セルパラメータ、例えばハンドオーバーパラメータ、を用いて、利用可能な近接セルがあるかを判定するステップと、をさらに含むことを特徴とする請求項２５乃至２９の何れか１項に記載の方法。